(57)【要約】      （修正有）【課題】バッターのバットのグリップを強化するという松ヤニの利点を維持しながら、松ヤニの塗布が必要ないバットを提供する。【解決手段】野球またはソフトボールの競技に使用するバットは、焼き付け、エッチング、または彫刻によるバットの握り部への模様を有する。バットのグリップを強化するために模様は、プレーヤーの手および握り部の間に触感のある摩擦接触を作り、これは松ヤニ塗布に取って代わり、かつ松ヤニ塗布の必要性を排除する。装置は、左利きまたは右利きいずれのプレーヤーのグリップを強化し、かつ子供および大人、男女が使用することができる。本発明の模様は、様々な形および大きさの見た目が良い模様に作られることができる。【選択図】図１
2010201176.tif 000002
【特許請求の範囲】
【請求項１】
野球またはソフトボールの競技に使用するバットであって、握り部と、ノブと、胴部と、先端とを備え
前記握り部が互いに所定の距離を離されて配置され、かつ前記握り部の曲面に所定の深さ凹んだ複数のチャネルからなる模様をさらに備え、
かつ前記チャネルの間に残った空間に複数の曲面構造が配置され、
使用者が前記バットを振った場合、前記模様が前記使用者の手および前記握り部の間に触感のある摩擦接触を作り、前記触感のある摩擦接触が松ヤニの塗布を必要とせずに前記握り部に対するグリップを強化するバット。
【請求項２】
見た目を良くするために、前記模様が様々な形および大きさ、例えば繰り返しの幾何学的なデザイン、ロゴ、または奇抜な形の前記チャネルおよび前記曲面構造からなる請求項１に記載のバット。
【請求項３】
前記チャネルが一般的な適用手段、例えば焼付け、彫刻またはエッチングによって製造される請求項１に記載のバット。
【請求項４】
前記バットが一般的な材料、例えば木または金属から製造される請求項１に記載のバット。
【請求項５】
野球またはソフトボールの競技において、ノブ、握り部、胴部、および先端を有するバットの使用方法であって、
前記握り部が互いに所定の距離を離されて配置され、かつ前記握り部の曲面に所定の深さ凹んだ複数のチャネルからなる模様をさらに備え、
前記方法が（ｉ）使用者が手によって前記握り部を把持するステップと、（ｉｉ）同時に前記バットを振るステップと、それによって（ｉｉｉ）前記模様が前記使用者の手および前記握り部の間に触感のある摩擦接触を作るステップとを備え、
前記触感のある摩擦接触が松ヤニの塗布を必要とせずに前記握り部に対するグリップを強化するバットの使用方法。
【請求項６】
見た目を良くするために、前記模様が様々な形および大きさ、例えば繰り返しの幾何学的なデザイン、ロゴ、または奇抜な形の前記チャネルおよび前記曲面構造からなる請求項５に記載の方法。
【請求項７】
前記チャネルが一般的な適用手段、例えば焼付け、彫刻またはエッチングによって製造される請求項５に記載の方法。
【請求項８】
前記バットが一般的な材料、例えば木または金属から製造される請求項５に記載の方法。
【発明の詳細な説明】
【技術分野】
【０００１】
本発明は、野球およびソフトボールのようなスポーツにて使用する例えばバットのような装置の分野に関連し、バットの握り部への松ヤニの使用を排除しながらプレーヤーのバットの把持を促進するという目的を有する。
【０００２】
関連出願
本発明の二つの代替の模様設計のための米国特許出願第２９，３１３，７６８号および第２９，３１３，７６９号が米国特許商標庁にて係属中である。
【背景技術】
【０００３】
野球およびソフトボールなどのプレーヤーがボールを打つ競技は子供および大人の双方に人気がある。プレーヤーはバットを振っている最中にバットが滑らないように、松ヤニをバットの握り部に塗布する。バットの握り部への松ヤニの塗布は汚れ、悪臭がし、かつ使用する前に塗布しなければならない。
【０００４】
バッティング中に握り部をしっかり把持することは重要である。汚れず、頻繁に塗布の必要がなく、かつ悪臭のないプレーヤーのバットのグリップを強化する装置は、バットへの松ヤニ塗布に対する著しい改善である。
【０００５】
したがって、バッターのバットのグリップを強化するという松ヤニの利点を維持しながら、松ヤニの塗布が必要ないバットが求められる。
【０００６】
本発明は、これらの目標を首尾よく達成する。
【０００７】
従来技術の説明
近年、野球のバットの握り部に関連する発明を開示する従来技術による装置があった。従来技術は、本発明は従来技術とは差別化することができる。なぜなら、（焼付け、彫刻またはエッチングにより）バット表面への組込まれた独自の審美的な模様と同時に、松ヤニの必要性を排除する握り部に対するバッターのグリップの強化という本発明の二重性を持たないためである。したがって本発明は、別の要素をバットの握り部表面へかぶせたり、塗装したりするのではなく、模様を（彫刻、焼付け、またはエッチング手段のいずれかにより）既存のバット材料および構造に組み込むものである。
【０００８】
本発明とは異なる野球バットに関する装置を開示したいくつかの特許がある。
【０００９】
本発明は、以下の理由によりこれらの従来技術より改善されている。 
【００１０】
特許文献１は、野球のバットの装飾的な設計を開示している。この発明は、本発明の独特な構造を示していない。本発明は、単なる設計ではなく、グリップを強化し、かつ松ヤニの必要性を排除する模様のある構造を示している。
【００１１】
特許文献２は、グリップを向上するために、バットの握り部にかぶせ、かつバットの握り部の周囲を移動する別個の浮き出した縦方向の構造を開示している。本発明は、個別のかぶせ物が必要ないため、この発明より改善されている。本発明は、グリップを強化し、かつ松ヤニの必要性を排除するバットに一体化した（組み込まれた）模様のある構造を示している。
【００１２】
特許文献３は、グリップを強化するためにバットの握り部を懸濁液に浸すことによりバットの握り部の外表面に塗布する懸濁液（ｓｌｕｒｒｙ）を開示している。本発明には別の物質（例えば懸濁液）が必要ないので、本発明はこの発明より改善されている。本発明は、グリップを強化し、かつ松ヤニの必要性を排除する模様のある構造を示している。
【００１３】
特許文献４は、縦方向の浮き出したバットの握り部の表面のグリップを開示しており、それは握り部の周囲を移動し、かつ手で絞られた場合には動かず、バッターの振動、とげ、および水泡を減らすために熱可塑性ゴムから作られている。本発明は、個別のかぶせ物が必要ないため、この発明より改善されている。本発明は、グリップを強化し、かつ松ヤニの必要性を排除するバットに一体化した（組み込まれた）模様のある構造を示している。
【００１４】
特許文献５は、グリップを向上させるために、バット握り部への磨耗面を有する個別の縦方向チューブ部材を開示している。本発明は、個別のチューブ部材が必要ないため、この発明より改善されている。本発明は、グリップを強化し、かつ松ヤニの必要性を排除するバットに一体化した（組み込まれた）模様のある構造を示している。
【００１５】
特許文献６は、グリップを強化するために使用者の指に適合する握り部に配置されたクッション部材を有する縦方向の曲線詰め物を有する握り部を開示している。本発明は個別の詰め物が必要ないため、この発明より改善されている。本発明は、グリップを強化し、かつ松ヤニの必要性を排除するバットに一体化した（組み込まれた）模様のある構造を示している。
【００１６】
特許文献７は、野球のバットの装飾的な設計を開示している、この発明は、本発明の独特な構造を示していない。本発明は、単なる設計ではなく、グリップを強化し、かつ松ヤニの必要性を排除するバットに一体化した（組み込まれた）模様のある構造を示している。
【先行技術文献】
【特許文献】
【００１７】
【特許文献１】米国意匠特許第Ｄ５６０２６１号（２００８年１月２２日  Ｓａｔｌｏｆｆ）
【特許文献２】米国特許第６，９３２，７２７号明細書（２００５年８月２３日  Ｋｒａｍｅｒ）
【特許文献３】米国特許第６，８８１，１６４号明細書（２００５年４月１９日  Ｇｉｌｌｉｇａｎ，  ｅｔ．  ａｌ．）
【特許文献４】米国特許第６，７５２，７３１号明細書（２００４年６月２２日  Ｋｒａｍｅｒ）
【特許文献５】米国特許第５，６１１，５３３号明細書（１９９７年３月１８日  Ｗｉｌｌｉａｍｓ）
【特許文献６】米国特許第５，４８２，２７０号明細書（１９９６年１月９日  Ｓｍｉｔｈ）
【特許文献７】米国特許第３００，３６０号明細書（１８８４年６月１７日  Ｗ．Ｇｒａｙ）
【発明の概要】
【発明が解決しようとする課題】
【００１８】
目的および利点
従って、上記に述べた目的および利点に加え、本発明のいくつかの目的および利点を以下に述べる。
バッターのグリップを強化する装置を提供すること；
松ヤニに取って代わり、かつ松ヤニが必要ない装置を提供すること;
けがの危険性を少なくする装置を提供すること；
全ての年齢および性別の使用者が使用できる装置を提供すること;
様々な大きさの使用者に適応する装置を提供すること;
一般的なバットの材料、例えば木または金属から製造される装置を提供すること;
追加的な部品を必要とせずひとつの材料部品から製造される装置を提供すること;
容易に清掃できる装置を提供すること;
木から作られた場合に、染色することができる装置を提供すること;および
米国メジャーリーグ野球委員会のルールブックに説明された規制を満たす装置を提供すること。
【課題を解決するための手段】
【００１９】
請求項に記載されるように、バットを振る際に野球またはソフトボールバットの握り部に対するプレーヤーのグリップを強化するような装置が提供される。
【００２０】
本装置は、握り部の表面に所定の深さおよび距離を離して凹ませた複数のチャネルによって作られる、バットの握り部に組み込まれた模様を有するバットからなる。複数の曲面構造がチャネル間の残りの空間に形成される。機能的であることに加えて見た目を良くするために、模様は、様々な形（長さ、幅、および深さ）のチャネル、および様々な形（長さおよび幅）の曲面構造から作られることができる。
【００２１】
松ヤニを必要とせずに、模様のある握り部に対するプレーヤーのグリップを強化するために、バットを振る場合に本発明の独自の模様は、バッターの手およびバットの模様のある握り部の間に触感のある摩擦の接触を作る。したがってバットを振っている間、模様のあるバットはプレーヤーの手からすべり出ないため、本発明はバッターの安全を向上させる。また模様のあるバットは容易に清掃することができる。
【００２２】
模様は、木製のバットに形成されることが好ましいが、またバットは金属、または任意の木ではない一般的な材料とすることができる。バットが木から作られている場合、模様は焼付け手段によりバットに組み込まれることが好ましい。また模様のある木製のバットは容易に染色することができる。別の方法としては、バットが金属または他の木ではない材料から作られている場合、模様は一般的な手段（バットの握り部への彫刻またはエッチング）によりバットに組み込まれる。
【００２３】
全ての年齢、および性別の人が本発明を使用することができる。また本発明は、右利きまたは左利きのプレーヤーのどちらも使用することができる。
【００２４】
模様は、握り部の外周を完全に囲むことが好ましい。任意の模様の組み合わせ、例えば幾何学的な模様、奇抜なロゴまたはとりわけ野球のバット、または野球場のようなモチーフを有する模様を使用することができる。
【００２５】
握り部の模様の長さは、米国メジャーリーグ野球委員会のルールブックに説明されている、バットの握り部に松ヤニを塗布できる長さに関するルールに一致する。
【図面の簡単な説明】
【００２６】
【図１】模様のある握り部を表したバットの側面を示す。
【図２】図１のバットのノブの端を示す。
【図３】図１のバットの反対側の端（先端）を示す。
【図４】図１のバットの鏡像反対側の側面を示す。
【図５】凹んだチャネル及びその間に残っている曲面構造を表し、図１のバットの長さ方向の垂直面に沿った断片的な断面図を示す。
【図６】凹んだチャネル及びその間に残っている曲面構造を表し、図１のバットのアーチ（円周）方向の垂直面に沿った断片的な断面図を示す。
【図７】別の模様を有するバットの側面を示す。
【図７Ａ】別の模様の拡大断片図を示す。
【発明を実施するための形態】
【００２７】
図１〜図７Ａを参照しながら、本発明の以下の詳細な説明により構造および使用方法を示す。図１、図２、図３、図４、および図７に示すように、本発明は胴部３、ノブ４（図２に詳細を示す）、先端５（図３に詳細を示す）および握り部２を有するバット１である。
【００２８】
独自の模様（図１、図４、図７、および図７Ａに示す）が握り部２に組み込まれている。バッターの手が模様のある握り部２を把持する場合、プレーヤーの手および模様のある握り部２の間に摩擦の触覚接触が形成される。これは模様のある握り部２に対するバッターのグリップを強化し、松ヤニに取って代わり、かつ松ヤニが必要なくなる。
【００２９】
本発明の模様を多様な形および大きさの見た目が良い模様に作ることができる。例えば、図１および図４は、同軸円（大きい外側の円および小さい内側の円）の直線的な列の繰り返し模様を示している。図７および図７Ａは、別の傾いたひし形の繰り返し模様を示す。
【００３０】
図１、図４、および図７に詳細を示すように、模様は長さおよび握り部２の外周に沿った連続的な模様である。さらに図５に示す図１の長手方向５−５’に沿った断片的な横断面図は、模様を形成する複数のチャネル６および対応する曲面構造７を示す。また図１のアーチ型（外周）方向６−６’に沿った断片的な横断面図である図６は、模様を形成する複数のチャネル６および対応する曲線構造７を示す。
【００３１】
さらに図５および図６に詳細を示すように、複数のチャネル６は所定の距離を離して配置され、かつ所定の深さを有する。複数の曲面構造７は、複数のチャネル６の間に残っている曲面から形成され、かつ所定の距離離れている。
【００３２】
繰り返しの傾いたひし形の別の模様が図７示され、および図７Ａの拡大された断片図は、横断面図複数のチャネル６およびその間に残っている複数の曲面を示す。
【００３３】
図１、図４、および図７に示すように、握り部２に沿った模様の長さは、米国メジャーリーグ野球委員会の規定に一致した長さである。
【符号の説明】
【００３４】
１  装置
２  握り部
３  胴部
４  ノブ
５  先端
６  複数のチャネル
７  複数の曲面構造
【図１】
2010201176.tif 000003
【図２】
2010201176.tif 000004
【図３】
2010201176.tif 000005
【図４】
2010201176.tif 000006
【図５】
2010201176.tif 000007
【図６】
2010201176.tif 000008
【図７】
2010201176.tif 000009
【図７Ａ】
2010201176.tif 000010
【外国語明細書】
2010201176.tif 000011
2010201176.tif 000012
2010201176.tif 000013
2010201176.tif 000014
2010201176.tif 000015
2010201176.tif 000016
2010201176.tif 000017
2010201176.tif 000018
2010201176.tif 000019
2010201176.tif 000020
2010201176.tif 000021
2010201176.tif 000022
2010201176.tif 000023
2010201176.tif 000024
2010201176.tif 000025
2010201176.tif 000026
2010201176.tif 000027
2010201176.tif 000028